(57)【要約】【課題】高低差があるような場所や曲線に沿って曲がるような場所に対応して、容易にかつ堅固に隣接する複数の支柱部材と支柱部材の間に配される横棒部材とを連結することができる柵構造を提供する。【解決手段】支柱部材１と横棒部材２とが連結具３を介して連結され、支柱部材１は、側面に開口する横孔１ａを有し、横棒部材２は、横棒部材２の長手方向の軸に概ね平行に設けられたスリット５を有し、連結具３は、上記横孔１ａに嵌め込まれて支柱部材１に取り付けられるロッド部材４と、このスリット５の面に略垂直にスリット５を貫通するように横棒部材２に取り付けられる軸部材６と、横棒部材２のスリット５内に配置されて、軸部材６の周りに姿勢変更可能なアーム部材７とを備え、アーム部材７が、ロッド部材４に連結されている。【選択図】      図１
2004162360.tif 000002
【特許請求の範囲】
【請求項１】
隣接する複数の支柱部材と支柱部材の間に配される棒状の横棒部材とが連結具を介して連結される柵構造であって、上記支柱部材は、支柱部材の側面に開口する横孔を有し、上記横棒部材は、横棒部材の長手方向の軸に概ね平行に設けられたスリットを有し、上記連結具は、上記横孔に嵌め込まれて支柱部材に取り付けられるロッド部材と、上記スリットの面に略垂直にスリットを貫通するように横棒部材に取り付けられる軸部材と、横棒部材のスリット内に配置されて、軸部材の周りに姿勢変更可能なアーム部材とを備え、上記アーム部材が、ロッド部材に連結されていることを特徴とする柵構造。
【請求項２】
上記アーム部材は、スリットに挿入され、スリット内に配置されて軸部材の周りに回動可能な平板部と、スリットの外部に突出して上記ロッド部材と連結されるアーム部とを有していることを特徴とする請求項１記載の柵構造。
【請求項３】
上記アーム部と上記平板部とは、平板部の端部に設けられ、平板部の平面に略垂直なアーム関節軸の周りに互いに回動可能に連結されていることを特徴とする請求項２に記載の柵構造。
【請求項４】
上記アーム関節軸は、ボルト部とナット部とを有し、このボルト部とナット部とにより、上記アーム部と上記平板部とが締め込まれて固定されることを特徴とする請求項３に記載の柵構造。
【請求項５】
上記アーム部のロッド部材側の端部には、アームねじ部が設けられ、このアームねじ部とロッド部材のアーム部材側の端部に設けられたロッドねじ部とを螺合させて締結することにより、アーム部材がロッド部材に連結されるように構成されることを特徴とする請求項２乃至請求項４のいずれかに記載の柵構造。
【請求項６】
上記アームねじ部とロッドねじ部とは、アームねじ部に螺合するナット部により固定されることを特徴とする請求項５に記載の柵構造。
【請求項７】
上記平板部は、概ね円盤状の形状を有していることを特徴とする請求項２乃至請求項６のいずれかに記載の柵構造。
【請求項８】
上記軸部材は、ボルト部とナット部とを有し、このボルト部とナット部とにより、横棒部材の両側面から横棒部材とアーム部材とが締め込まれて、アーム部材が横棒部材に固定されることを特徴とする請求項１乃至請求項７のいずれかに記載の柵構造。
【請求項９】
上記ロッド部材は、側面に突起を有し、この突起を支柱部材に係止することにより、支柱部材に対するロッド部材の回転を防止することを特徴とする請求項１乃至請求項８のいずれかに記載の柵構造。
【請求項１０】
上記突起は、支柱部材の貫通孔にロッド部材が打ち込まれることにより、支柱部材に係止されることを特徴とする請求項９に記載の柵構造。
【発明の詳細な説明】
【０００１】
【発明の属する技術分野】
本発明は、例えば森林公園などの散策道に設けられる木柵など、複数の支柱部材と各支柱部材間に配置される横棒部材とが連結されて構成される柵構造に関するものである。
【０００２】
【従来の技術】
従来、公園などの散策道に設けられる木柵などの柵構造としては、木製の丸太などの複数の支柱部材と木製の横木とが連結されて構成される柵構造が採用されることが多かった。
【０００３】
そして、このような支柱部材と木製の横木とが連結されて構成される柵構造を坂道など勾配のある場所に対応させる場合は、図１１に示すように、坂道９の勾配に合わせて傾斜させるようにして、支柱部材１に横孔１ａを設け、この横孔１ａに横棒部材２を通すことにより高低差のある支柱部材１、１と横棒部材２とを連結していた。
【０００４】
【発明が解決しようとする課題】
しかしながら、上述の柵構造では、森林公園の散策道などのように、支柱部材の設置位置の高低差が一様でないような場所に対応して柵を設けようとすると、支柱部材の貫通孔の角度や横棒部材の取り付け角度をそれぞれ変更しなければならず、容易に隣接する複数の支柱部材と支柱部材の間に配される棒状の横棒部材とを連結することができないという問題があった。
【０００５】
また、道の屈曲に応じて各横棒部材の方向を変えて繋いでいくような場合も容易に支柱部材と横棒部材とを連結することができないという問題があった。
【０００６】
本発明は上記不具合に鑑みてなされたものであり、支柱部材の設置位置にさまざまな高低差があるような場所や曲線に沿って曲がるような場所に対応して、容易にかつ堅固に隣接する複数の支柱部材と支柱部材の間に配される棒状の横棒部材とを連結することができる柵構造を提供することを課題としている。
【０００７】
【課題を解決するための手段】
上記課題を解決するための本発明は、隣接する複数の支柱部材と支柱部材の間に配される棒状の横棒部材とが連結具を介して連結される柵構造であって、上記支柱部材は、支柱部材の側面に開口する横孔を有し、上記横棒部材は、横棒部材の長手方向の軸に概ね平行に設けられたスリットを有し、上記連結具は、上記横孔に嵌め込まれて支柱部材に取り付けられるロッド部材と、上記スリットの面に略垂直にスリットを貫通するように横棒部材に取り付けられる軸部材と、横棒部材のスリット内に配置されて、軸部材の周りに姿勢変更可能なアーム部材とを備え、上記アーム部材が、ロッド部材に連結されていることを特徴とする柵構造である。
【０００８】
本発明によれば、横棒部材に設けられたアーム部材と支柱部材に設けられたロッド部材とが連結されているとともに、アーム部材が、横棒部材のスリット内に配置されて軸部材の周りに姿勢変更可能であるので、支柱部材の設置位置にさまざまな高低差があるような場所や曲線に沿って曲がるような場所に対応して、アーム部材の姿勢を変更することにより、容易に隣接する支柱部材と横棒部材とを横棒部材で連結することができる。
【０００９】
本発明の好ましい態様として、上記アーム部材は、スリットに挿入され、スリット内に配置されて軸部材の周りに回動可能な平板部と、スリットの外部に突出して上記ロッド部材と連結されるアーム部とを有していることが好ましい。
【００１０】
この好ましい態様によれば、アーム部材が、スリットに挿入され、スリット内に配置されて軸部材の周りに回動可能な平板部と、スリットの外部に突出して上記ロッド部材と連結されるアーム部とを有しているので、アーム部材のアーム部が横棒部材に対してぐらついたりすることなく、安定した状態で姿勢変更することができる結果、より堅固に隣接する支柱部材と横棒部材とを連結することができる。
【００１１】
また、上記アーム部と上記平板部とは、平板部の端部に設けられ、平板部の平面に略垂直なアーム関節軸の周りに互いに回動可能に連結されていることが好ましい。
【００１２】
この好ましい態様によれば、アーム部と平板部とが、平板部の端部に設けられたアーム関節軸の周りに互いに回動可能に連結されることにより横棒部材の両方の端部に関節がそれぞれ１つ増えるので、この連結箇所で折り曲げることにより、より滑らかな形状に隣接する支柱部材と横棒部材とを横棒部材で連結することができる。
【００１３】
また、上記アーム関節軸は、ボルト部とナット部とを有し、このボルト部とナット部とにより、上記アーム部と上記平板部とが締め込まれて固定されることが好ましい。
【００１４】
この好ましい態様によれば、アーム関節軸のボルト部とナット部とにより、アーム部と平板部とが締め込まれて固定されるので、支柱部材に取り付けられた横棒部材の姿勢が安定する。
【００１５】
また、上記アーム部のロッド部材側の端部には、アームねじ部が設けられ、このアームねじ部とロッド部材のアーム部材側の端部に設けられたロッドねじ部とを螺合させて締結することにより、アーム部材がロッド部材に連結されるように構成されることが好ましい。
【００１６】
この好ましい態様によれば、アーム部のロッド部材側の端部に設けられたアームねじ部とロッド部材のアーム部材側の端部に設けられたロッドねじ部とを螺合させて締結しているので、アーム部材がロッド部材の軸を中心に回動可能となる結果、支柱部材に対して横棒部材の方向を３６０度自在に変更することができる。
【００１７】
また、上記アームねじ部とロッドねじ部とは、アームねじ部に螺合するナット部により固定されることが好ましい。
【００１８】
この好ましい態様によれば、アームねじ部に螺合するナット部によりアームねじ部とロッドねじ部とが、固定されるので、支柱部材に取り付けられた横棒部材の姿勢が安定する。
【００１９】
また、上記平板部は、円盤状の形状を有していることが好ましい。
【００２０】
この好ましい態様によれば、平板部が、円盤状の形状を有しているので、横棒部材に設けるスリットの面積を必要最小限にすることができるとともに、横棒部材に対してアーム部材を円滑に姿勢変更させることができる。
【００２１】
また、上記軸部材は、ボルト部とナット部とを有し、このボルト部とナット部とにより、横棒部材の両側面から横棒部材とアーム部材とが締め込まれて、アーム部材が横棒部材に固定されることが好ましい。
【００２２】
この好ましい態様によれば、軸部材のボルト部とナット部とにより、横棒部材の両側面から横棒部材とアーム部材とが締め込まれて、アーム部材が横棒部材に固定されるので、アーム部材を横棒部材に対して任意の姿勢に容易に固定することができる。
【００２３】
また、上記ロッド部材は、側面に突起を有し、この突起を支柱部材に係止することにより、支柱部材に対するロッド部材の回転を防止することが好ましい。
【００２４】
この好ましい態様によれば、ロッド部材の側面に設けた突起が、支柱部材に係止されて支柱部材に対するロッド部材の回転を防止するので、支柱部材においてロッド部材の姿勢が安定する結果、より堅固に隣接する支柱部材と横棒部材とを連結することができる。
【００２５】
また、上記突起は、支柱部材の貫通孔にロッド部材が打ち込まれることにより、支柱部材に係止されることが好ましい。
【００２６】
この好ましい態様によれば、支柱部材の貫通孔にロッド部材が打ち込まれることによりロッド部材の突起が、支柱部材に係止されるので、簡単な構造で支柱部材においてロッド部材の姿勢を安定させることができる。
【００２７】
【発明の実施の形態】
以下、添付図面を参照しながら本発明の好ましい実施の形態について詳述する。
【００２８】
図１は本発明の第一の実施の形態に係る柵構造１０の概略の構成を示す説明図であり、（ａ）は、柵構造１０の側面図を示している。また、（ｂ）は、柵構造１０の平面図を示している。そして、図２は本発明の第一の実施の形態に係る柵構造１０の概略の構成を示す分解斜視図である。
【００２９】
図１と図２とを参照して、図示の本発明の第一の実施の形態に係る柵構造１０は、例えば森林公園などの散策道に設けられる木柵など、隣接する複数の支柱部材１と、支柱部材１の間に配される棒状の横棒部材２とが連結具３を介して連結されるものである。
【００３０】
上記支柱部材１は、本実施形態では、丸太など、円柱状の木材から構成される部材であり、図示しない散策道の側部に、道に沿って概ね等間隔で略垂直に地面に打ち込まれている。
【００３１】
また、上記横棒部材２も、丸太など、円柱状の木材から構成される部材であり、隣接する支柱部材１、１の間に図略の地面に対して概ね平行に横向きに配されている。
【００３２】
この複数の支柱部材１と横棒部材２とをさまざまな高低差や曲がりがあるような設置場所に対応して連結するために、本発明の第一の実施の形態に係る柵構造１０において、支柱部材１は、支柱部材１の側面に開口する横孔１ａを有し、また、横棒部材２は、横棒部材２の長手方向の軸に概ね平行に設けられたスリット５を有している。そして上記連結具３は、横孔１ａに嵌め込まれて支柱部材１に取り付けられるロッド部材４と、このスリット５の面に略垂直にスリット５を貫通するように横棒部材２に取り付けられる軸部材６と、横棒部材２のスリット５内に配置されて、軸部材６の周りに姿勢変更可能なアーム部材７とを備え、アーム部材７が、横棒部材２の軸部材６の周りに姿勢変更可能な状態で、ロッド部材４に連結されている。
【００３３】
上記ロッド部材４は、鋼鉄製の丸棒を加工したものであり、支柱部材１においてロッド部材４の姿勢を安定させるために、ロッド部材４の側面には突起８が溶接されている。このロッド部材４の突起８は、支柱部材１の横孔１ａにロッド部材４が嵌め込まれる際に、支柱部材１の側部１ｂに打ち込まれて支柱部材１に係止され、ロッド部材４が支柱部材１に対して回転することを防止している。
【００３４】
また、上記アーム部材７は、第一の実施の形態に係る柵構造１０においては、スリット５内に配置されて軸部材６の周りに回動可能な鋼板製の平板部７ａと、スリット５の外部に突出してロッド部材４と連結される鋼鉄製棒材のアーム部７ｂとが溶接されたものになっている。
【００３５】
この平板部７ａは、アーム部材７のアーム部７ｂが横棒部材２に対してぐらついたりすることなく、安定した状態で姿勢変更して、より堅固に支柱部材１と横棒部材２とを連結することができるようにするためのものであり、横棒部材２に設けるスリット５の面積を必要最小限にするとともに、横棒部材２に対してアーム部材７を円滑に姿勢変更させるために、円盤状の形状に形成されている。
【００３６】
また、この平板部７ａに溶接されたアーム部７ｂの端部には、アームねじ部７ｃが設けられており、このアームねじ部７ｃとロッド部材４の端部に設けられたロッドねじ部４ａとを螺合させて締結することにより、アーム部材７がロッド部材４に連結されるように構成されている。
【００３７】
上記軸部材６は、スリット５内においてアーム部材７を横棒部材２に対して任意の姿勢に固定するために、ボルト部６ａとナット部６ｂとを有している。そして、このボルト部６ａとナット部６ｂとが、横棒部材２の両側面から横棒部材２とアーム部材７の平板部７ａとを締め込むことにより、アーム部材７が横棒部材２に固定される。
【００３８】
次に、図３〜図５を参照して、本発明の第一の実施の形態に係る柵構造１０の作用について説明する。
【００３９】
図３は本発明の第一の実施の形態に係る柵構造１０において平面における方向変更がなく、高低差がある場合の側面図を示している。図４は、本発明の第一の実施の形態に係る柵構造１０において平面における方向変更があり、高低差がない場合の側面図を示している。また、図５は、本発明の第一の実施の形態に係る柵構造１０において平面における方向変更と高低差の両方がある場合を示しており、（ａ）は、その場合の側面図を示している。また、（ｂ）は、その場合の平面図をそれぞれ示している。
【００４０】
図３を参照して、平面における方向変更がなく、高低差がある場合は、スリット５とアーム部材７の平板部７ａが概ね鉛直軸に対して平行になるように、連結具３をロッド部材４に対して取り付けるとともに、横棒部材２が傾斜するように、アーム部材７の平板部７ａを横棒部材２に固定することにより、容易にかつ堅固に隣接する支柱部材１と横棒部材２とを連結することができる。
【００４１】
また、図４を参照して、平面における方向変更があり、高低差がない場合は、スリット５とアーム部材７の平板部７ａが概ね水平になるように、連結具３をロッド部材４に対して取り付けるとともに、横棒部材２が道の方向になるように、アーム部材７の平板部７ａを横棒部材２に固定することにより、容易にかつ堅固に隣接する支柱部材１同士を横棒部材２で連結することができる。
【００４２】
また、図５を参照して、平面における方向変更と高低差の両方がある場合は、スリット５とアーム部材７の平板部７ａが道の方向に傾斜するように、連結具３をロッド部材４に対して取り付けるとともに、横棒部材２が道の方向になり、かつ傾斜するように、アーム部材７の平板部７ａを横棒部材２に固定することにより、容易にかつ堅固に隣接する支柱部材１同士を横棒部材２で連結することができる。
【００４３】
以上説明したように、本発明の第一の実施の形態に係る柵構造１０によれば、横棒部材２に設けられたアーム部材７と、支柱部材１に設けられたロッド部材４とが連結されているとともに、アーム部材７が、横棒部材２のスリット５内に配置されて軸部材６の周りに姿勢変更可能であるので、支柱部材１の設置位置にさまざまな高低差があるような場所や曲線に沿って曲がるような場所に対応して、アーム部材７の姿勢を変更することにより、容易に支柱部材１と横棒部材２とを連結することができる。
【００４４】
また、本発明の第一の実施の形態に係る柵構造１０によれば、アーム部材７が、スリット５に挿入され、スリット５内に配置されて軸部材６の周りに回動可能な平板部７ａと、スリット５の外部に突出してロッド部材４と連結されるアーム部７ｂとを有しているので、アーム部材７のアーム部７ｂが横棒部材２に対してぐらついたりすることなく、安定した状態で姿勢変更することができる結果、より堅固に隣接する支柱部材１と横棒部材２とを連結することができる。
【００４５】
また、本発明の第一の実施の形態に係る柵構造１０によれば、平板部７ａが、円盤状の形状を有しているので、横棒部材２に設けるスリット５の面積を必要最小限にすることができるとともに、横棒部材２に対してアーム部材７を円滑に姿勢変更させることができる。
【００４６】
また、本発明の第一の実施の形態に係る柵構造１０によれば、軸部材６のボルト部６ａとナット部６ｂとにより、横棒部材２の両側面から横棒部材２とアーム部材７とが締め込まれて、アーム部材７が横棒部材２に固定されるので、アーム部材７を横棒部材２に対して任意の姿勢に容易に固定することができる。
【００４７】
また、本発明の第一の実施の形態に係る柵構造１０によれば、ロッド部材４の側面に設けた突起８が、支柱部材１に係止されて支柱部材１に対するロッド部材４の回転を防止するので、支柱部材１においてロッド部材４の姿勢が安定する結果、より堅固に隣接する支柱部材１と横棒部材２とを連結することができる。
【００４８】
また、本発明の第一の実施の形態に係る柵構造１０によれば、支柱部材１の横孔１ａにロッド部材４が打ち込まれることによりロッド部材４の突起８が、支柱部材１に係止されるので、簡単な構造で支柱部材１においてロッド部材４の姿勢を安定させることができる。
【００４９】
次に、図６〜１０を参照しながら本発明の第二の実施の形態について詳述する。
【００５０】
図６は本発明の第二の実施の形態に係る柵構造２０の概略の構成を示す説明図であり、（ａ）は、柵構造２０の側面図を示している。また、（ｂ）は、柵構造２０の平面図を示している。そして、図７は本発明の第二の実施の形態に係る柵構造２０の概略の構成を示す分解斜視図である。
【００５１】
以下、第二の実施の形態の説明にあたっては、第一の実施の形態と重複する部分については同一の符号を付して説明を省略し、異なる部分について詳述するものとする。
【００５２】
図６と図７とを参照して、図示の本発明の第二の実施の形態に係る柵構造２０においては、横棒部材の端部に関節を追加してより滑らかな形状に隣接する支柱部材１と横棒部材２とを横棒部材２で連結することができるようにするために、平板部７ａの平面に略垂直なアーム関節軸７ｄが平板部７ａの端部に設けられている。そして、アーム部７ｂと平板部７ａとは、このアーム関節軸７ｄの周りに互いに回動可能に連結されている。
【００５３】
上記アーム関節軸７ｄは、支柱部材１に取り付けられた横棒部材２の姿勢を安定させるために、ボルト部７ｅとナット部７ｆとを有しており、このボルト部７ｅとナット部７ｆとでアーム部７ｂと平板部７ａとを締め込むことにより、アーム部７ｂと平板部７ａとが固定されて支柱部材１に対する横棒部材２の姿勢が安定するように構成されている。なお、ボルト部７ｅとアーム部７ｂとの間およびナット部７ｆと平板部７ａとの間にはそれぞれワッシャ７ｇ（図７）が挟持され、アーム部７ｂと平板部７ａとの固着力を増加させて、より横棒部材２の姿勢が安定するように構成されている。
【００５４】
また、本発明の第二の実施の形態に係る柵構造２０においては、アームねじ部７ｃとロッドねじ部４ａとは、支柱部材１に取り付けられた横棒部材２の姿勢を安定させるために、アームねじ部７ｃに螺合するナット部７ｈにより固定されている。また、ナット部７ｈとロッド部材４との間にはワッシャ７ｉ（図７）が挟持され、アームねじ部７ｃとロッドねじ部４ａとの固着力を増加させて、より横棒部材２の姿勢が安定するように構成されている。
【００５５】
また、支柱部材１においてロッド部材４の姿勢を安定させるために、ロッド部材４の側面に溶接されている突起８は、本発明の第二の実施の形態に係る柵構造２０においては、第一の実施の形態に係る柵構造１０のように板状の細片ではなく、製作が容易で簡単な構造として半球状に肉盛された形状に変更されている。そして、支柱部材１の横孔１ａにロッド部材４が嵌め込まれる際に、支柱部材１の側部１ｂに打ち込まれて支柱部材１に係止され、ロッド部材４が支柱部材１に対して回転することを防止するのは第一の実施の形態に係る柵構造１０の突起８と同様である。
【００５６】
次に、図８〜図１０を参照して、本発明の第二の実施の形態に係る柵構造２０の作用について説明する。
【００５７】
図８は本発明の第二の実施の形態に係る柵構造２０において平面における方向変更がなく、高低差がある場合の側面図を示している。図９は、本発明の第二の実施の形態に係る柵構造２０において平面における方向変更があり、高低差がない場合の側面図を示している。また、図１０は、本発明の第二の実施の形態に係る柵構造２０において平面における方向変更と高低差の両方がある場合を示しており、（ａ）は、その場合の側面図を示している。また、（ｂ）は、その場合の平面図をそれぞれ示している。
【００５８】
図８を参照して、平面における方向変更がなく、高低差がある場合は、スリット５とアーム部材７の平板部７ａが概ね鉛直軸に対して平行になるように、連結具３をロッド部材４に対して取り付ける。そして、横棒部材２が傾斜するように、また、アーム関節軸７ｄが横棒部材２の端部の略中央に位置するようにアーム部材７の平板部７ａを横棒部材２に固定するとともにボルト部７ｅとナット部７ｆとでアーム部７ｂと平板部７ａとを締め込んでアーム部７ｂと平板部７ａとを固定する。これにより、容易に、かつ堅固に、また、より滑らかな形状に、隣接する支柱部材１と横棒部材２とを連結することができる。
【００５９】
また、図９を参照して、平面における方向変更があり、高低差がない場合は、スリット５とアーム部材７の平板部７ａが概ね水平になるように、連結具３をロッド部材４に対して取り付ける。そして、横棒部材２が道の方向になるように、また、アーム関節軸７ｄが横棒部材２の端部の略中央に位置するようにアーム部材７の平板部７ａを横棒部材２に固定するとともにボルト部７ｅとナット部７ｆとでアーム部７ｂと平板部７ａとを締め込んでアーム部７ｂと平板部７ａとを固定する。これにより、容易に、かつ堅固に、また、より滑らかな形状に、隣接する支柱部材１同士を横棒部材２で連結することができる。
【００６０】
また、図１０を参照して、平面における方向変更と高低差の両方がある場合は、スリット５とアーム部材７の平板部７ａが道の方向に傾斜するように、連結具３をロッド部材４に対して取り付ける。そして、横棒部材２が道の方向になり、かつ傾斜するように、また、アーム関節軸７ｄが横棒部材２の端部の略中央に位置するようにアーム部材７の平板部７ａを横棒部材２に固定するとともにボルト部７ｅとナット部７ｆとでアーム部７ｂと平板部７ａとを締め込んでアーム部７ｂと平板部７ａとを固定する。これにより、容易に、かつ堅固に、また、より滑らかな形状に、隣接する支柱部材１同士を横棒部材２で連結することができる。
【００６１】
以上説明したように、本発明の第二の実施の形態に係る柵構造２０によれば、アーム部７ｂと平板部７ａとが、平板部７ａの端部に設けられたアーム関節軸７ｄの周りに互いに回動可能に連結されることにより横棒部材２の両方の端部に関節がそれぞれ１つ増えるので、この連結箇所で折り曲げることにより、より滑らかな形状に隣接する支柱部材１と横棒部材２とを横棒部材２で連結することができる。
【００６２】
また、本発明の第二の実施の形態に係る柵構造２０によれば、アーム関節軸７ｄのボルト部７ｅとナット部７ｆとにより、アーム部７ｂと平板部７ａとが締め込まれて固定されるので、支柱部材１に取り付けられた横棒部材２の姿勢が安定する。
【００６３】
また、本発明の第二の実施の形態に係る柵構造２０によれば、アーム部７ｂのロッド部材４側の端部に設けられたアームねじ部７ｃとロッド部材４のアーム部材７側の端部に設けられたロッドねじ部４ａとを螺合させて締結しているので、アーム部材７がロッド部材４の軸を中心に回動可能となる結果、支柱部材１に対して横棒部材２の方向を３６０度自在に変更することができる。
【００６４】
また、本発明の第二の実施の形態に係る柵構造２０によれば、アームねじ部７ｃに螺合するナット部７ｈによりアームねじ部７ｃとロッドねじ部４ａとが、固定されるので、支柱部材１に取り付けられた横棒部材２の姿勢が安定する。
【００６５】
上述した実施の形態は本発明の好ましい具体例を例示したものに過ぎず、本発明は上述した実施の形態に限定されない。
【００６６】
例えば、柵構造１０、２０は、必ずしも森林公園などの散策道に設けられる木柵に限定されず、一般道その他において、隣接する複数の支柱部材１と、支柱部材１の間に配される棒状の横棒部材２とが連結具３を介して連結される柵構造１０、２０であれば、適用可能である。
【００６７】
また、支柱部材１と横棒部材２とは、必ずしも丸太など、円柱状の木材から構成される部材である必要はなく、他の材料からなる角柱など、種々の設計変更が可能である。
【００６８】
また、支柱部材１の側面に開口する横孔１ａは、必ずしも図示のように支柱部材１の幅方向に貫通する形状に限定されない。例えば支柱部材１の両側面もしくは一方の側面に設けられた有底の開口なども採用可能である。
【００６９】
また、ロッド部材４も必ずしも図示の形状に限定されない。プラスチック製の角材など、支柱部材１の側面に開口する横孔１ａに嵌め込まれて支柱部材１に取り付けられたものであれば、種々の設計変更が可能である。
【００７０】
また、アーム部材７も必ずしも図示の形状に限定されない。横棒部材２のスリット５内に配置されて軸部材６の周りに姿勢変更可能で、ロッド部材４に連結することが可能なものであれば、種々の設計変更が可能である。
【００７１】
また、アーム部材７とロッド部材４との連結は、必ずしも図示のようにねじ機構に限定されない。アーム部材７が、ロッド部材４に連結される構造であれば、ねじ機構以外の機構による連結も採用可能であるなど、種々の設計変更が可能である。
【００７２】
さらに、アーム関節軸７ｄも必ずしも図示のようにボルト部７ｅとナット部７ｆとを有するものである必要はない。横棒部材の端部に関節を追加してより滑らかな形状に隣接する支柱部材１と横棒部材２とを横棒部材２で連結することができるようにするために、平板部７ａの端部に平板部７ａの平面に略垂直に設けられた軸構造であれば、例えばピン構造でも採用可能であるなど種々の設計変更が可能である。
【００７３】
軸部材６も必ずしも図示のようにボルト部６ａとナット部６ｂとを有するものである必要はない。横棒部材２の長手方向の軸に概ね平行に設けられたスリット５の面に略垂直にスリット５を貫通するように横棒部材２に取り付けられるものであり、この軸部材６の周りにアーム部材７が姿勢変更可能であれば、例えば横棒部材２に打ち込まれるピン構造でも採用可能であるなど種々の設計変更が可能である。
【００７４】
その他、本発明の特許請求の範囲内で種々の設計変更が可能であることはいうまでもない。
【００７５】
【発明の効果】
以上説明したように、本発明の柵構造によれば、支柱部材の設置位置にさまざまな高低差があるような場所や曲線に沿って曲がるような場所に対応して、容易にかつ堅固に隣接する複数の支柱部材と支柱部材の間に配される棒状の横棒部材とを連結することができるという顕著な効果を奏する。
【図面の簡単な説明】
【図１】本発明の第一の実施の形態に係る柵構造の概略の構成を示す説明図であり、（ａ）は、柵構造の側面図を示している。また、（ｂ）は、柵構造の平面図をそれぞれ示している。
【図２】本発明の第一の実施の形態に係る柵構造の概略の構成を示す分解斜視図である。
【図３】本発明の第一の実施の形態に係る柵構造において平面における方向変更がなく、高低差がある場合の側面図である。
【図４】本発明の第一の実施の形態に係る柵構造において平面における方向変更があり、高低差がない場合の平面図である。
【図５】本発明の第一の実施の形態に係る柵構造において平面における方向変更と高低差の両方がある場合を示しており、（ａ）は、その場合の側面図である。また、（ｂ）は、その場合の平面図である。
【図６】本発明の第二の実施の形態に係る柵構造の概略の構成を示す説明図であり、（ａ）は、柵構造の側面図を示している。また、（ｂ）は、柵構造の平面図をそれぞれ示している。
【図７】本発明の第二の実施の形態に係る柵構造の概略の構成を示す分解斜視図である。
【図８】本発明の第二の実施の形態に係る柵構造において平面における方向変更がなく、高低差がある場合の側面図である。
【図９】本発明の第二の実施の形態に係る柵構造において平面における方向変更があり、高低差がない場合の平面図である。
【図１０】本発明の第二の実施の形態に係る柵構造において平面における方向変更と高低差の両方がある場合を示しており、（ａ）は、その場合の側面図である。また、（ｂ）は、その場合の平面図である。
【図１１】高低差のある場所に設置される従来の柵構造を示す側面図である。
【符号の説明】
１            支柱部材
１ａ        横孔
２            横棒部材
３            連結具
４            ロッド部材
４ａ        ロッドねじ部
５            スリット
６            軸部材
６ａ        ボルト部
６ｂ        ナット部
７            アーム部材
７ａ        平板部
７ｂ        アーム部
７ｃ        アームねじ部
７ｄ        アーム関節軸
７ｅ        ボルト部
７ｆ、７ｈ            ナット部
８            突起
１０、２０            柵構造
【図１】
2004162360.tif 000003
【図２】
2004162360.tif 000004
【図３】
2004162360.tif 000005
【図４】
2004162360.tif 000006
【図５】
2004162360.tif 000007
【図６】
2004162360.tif 000008
【図７】
2004162360.tif 000009
【図８】
2004162360.tif 000010
【図９】
2004162360.tif 000011
【図１０】
2004162360.tif 000012
【図１１】
2004162360.tif 000013